(57)【要約】【課題】施工後に一部の床材を容易に抜き取ることが可能な床材の提供。【解決手段】表面１０ａに縦溝１を有し、裏面１０ｂに縦溝１の沿うように形成した裏溝２を有する床材１１。縦溝１の底部と該裏溝の底部との距離（Ｄ）は１〜５ｍｍとするのがよい。また、裏溝２の幅（Ｗ）は１〜２５ｍｍとするのがよい。【選択図】  図４
2013181364.tif 000002
【特許請求の範囲】
【請求項１】
表面に縦溝を有する床材であって、その裏面に該縦溝に沿うように形成した裏溝を有することを特徴とする床材。
【請求項２】
該縦溝の底部と該裏溝の底部との距離が１〜５ｍｍであることを特徴とする請求項１に記載の床材。
【請求項３】
該裏溝の幅が１〜２５ｍｍであることを特徴とする請求項１または２に記載の床材。
【請求項４】
床材の施工後に、一部の床材を抜き取る方法であって、
抜取対象床材の縦溝に沿って切込みを入れる工程、
運搬用吸盤を該抜取対象床材の表面に吸着させる工程、
該運搬用吸盤を上方に移動させ、該抜取対象床材を剥がす工程、および、
下地に残存するフロア残留物を取り除く工程を有することを特徴とする一部床材の抜き取り方法。
【請求項５】
床材として、請求項１から３までのいずれかの床材を用いることを特徴とする請求項４に記載の一部床材の抜き取り方法。
【発明の詳細な説明】
【技術分野】
【０００１】
本発明は、床材および一部床材の抜き取り方法に係り、特に、床の施工後に一部の床材のみを容易に取り除くことができる床材および一部床材の抜き取り方法に関する。
【背景技術】
【０００２】
床の施工には、四周に実（雄実および雌実）が形成されている複数の床材が用いられ、床材の雄実を他の床材の雌実にはめ込むとともに、接着剤やビスなどによって下地材に固定することにより敷設される。このようにして施工された床は、床材同士および床材と下地材とが固着している。
【０００３】
よって、床材の施工後に床材の一部に凹みなどの傷を発見しても、その床材のみを取り除くのは困難である。このため、通常、このような床の補修を行う場合には、傷のある床材だけでなく、その床材から壁際に施工された床材までの複数の床材を一旦取り外し、傷のない床材を再度施工する必要がある。例えば、特許文献１には、特に、取り除くべき床材を鋸などで複数個に適宜切断するなどの方法により取り除くことが記載されている。
【先行技術文献】
【特許文献】
【０００４】
【特許文献１】特開２００３−０７４１７０号公報
【発明の概要】
【発明が解決しようとする課題】
【０００５】
前述のように、特許文献１には、取り除くべき床材がいずれ廃棄されるものであることから、その床材を鋸などで複数個に適宜切断するなどの方法により取り除くことが記載されている。しかし、この文献では、実際にどのように切断するのかについては全く記載されていない。
【０００６】
本発明は、床材の施工後に、床材の一部を容易に取り除くことが可能な床材および一部床材の抜き取り方法を提供することを目的とする。
【課題を解決するための手段】
【０００７】
本発明者らは、上記の目的を達成するべく、鋭意研究を行った。
【０００８】
例えば、マンション用などの直貼フロアには、６〜１２ｍｍ程度の厚さの基材表面に、０．２〜３．０ｍｍ程度の厚さの化粧材を貼り付けた床材が用いられる。この基材としては、合板、繊維板（ＨＤＦ、ＭＤＦなど）などのほか、合板と繊維板とを貼り合わせたものがある。また、通常は、前記の基材の裏面にウレタンなどの緩衝材を貼り付けたものが用いられる。
【０００９】
例えば、雄実の実長さを短くしたり、床材の厚さを薄くしたりするなど、構造上の変更を行えば、一部床材の抜き取りを容易にすることはできる。しかし、本実形状や厚さなどの基本構造を誤って変更すれば、強度不足、段違い、床鳴りなど、床材としての基本的な性能に悪影響を及ぼすことがある。
【００１０】
そこで、本発明者は、基本的な性能を維持したまま、一部床材の抜き取りをする場合には床材の一部を容易に分断できる床材について検討し、特に、床材の表面に形成された縦溝に注目した。すなわち、縦溝（床材の長手方向に設けられたＶ形状などの溝）は、化粧材の厚さより深く彫り込まれているため、他の部分より強度が弱い。そして、本発明者らの研究により、床材の裏面に縦溝の沿うように、すなわち、縦溝の背面に裏溝を形成して、部分的に薄い箇所を設けることにより、一部床材の抜き取りを容易にすることができることを見い出した。
【００１１】
なお、裏溝を、縦溝の背面以外の位置に設けることも可能ではあるが、一部床材の抜取時に、裏溝の位置を見分けるのが困難である。この点、床材の裏面に縦溝の沿うように裏溝を設ければ、縦溝に沿って切込みを入れることにより容易に床材を分断できる。また、定規を用いることなく、直線的な切込みを入れることができる。
【００１２】
本発明は、このような知見に基づいてなされたものであり、下記の（１）〜（３）の床材、ならびに、下記（４）および（５）の一部床材の抜き取り方法を要旨とする。
【００１３】
（１）表面に縦溝を有する床材であって、その裏面に該縦溝に沿うように形成した裏溝を有する床材。
【００１４】
（２）該縦溝の底部と該裏溝の底部との距離が１〜５ｍｍである上記（１）の床材。
【００１５】
（３）該裏溝の幅が１〜２５ｍｍである上記（１）または（２）の床材。
【００１６】
（４）床材の施工後に、一部の床材を抜き取る方法であって、抜取対象床材の縦溝に沿って切込みを入れる工程、運搬用吸盤を該抜取対象床材の表面に吸着させる工程、該運搬用吸盤を上方に移動させ、該抜取対象床材を剥がす工程、および、下地に残存するフロア残留物を取り除く工程を有する一部床材の抜き取り方法。
【００１７】
（５）床材として、上記（１）〜（３）いずれかの床材を用いる、上記（４）の一部床材の抜き取り方法。
【発明の効果】
【００１８】
本発明に係る床材は、カッターなどの切断手段により、縦溝に沿って床材を容易に分断することができるので、施工後に一部の床材を容易に抜き取ることが可能となる。本発明に係る一部床材の抜き取り方法によれば、施工済みの他の床材を傷つけることなく、抜取対象床材を剥がすことが可能となる。
【図面の簡単な説明】
【００１９】
【図１】本発明に係る床材を例示した上面図
【図２】本発明に係る床材を例示した背面図
【図３】図１のＡ−Ａ断面図
【図４】図３の円Ｂについての部分拡大図
【図５】本発明に係る床材の他の例を示した部分拡大図
【図６】一部の床材の縦溝に切込みを入れる工程を例示した図
【図７】抜取対象床材を剥がす工程を例示した図
【発明を実施するための形態】
【００２０】
以下、図１〜７を用いて、本発明の実施態様を説明するが、本発明は、図に示された床材に限定されないのはいうまでもない。
【００２１】
図１〜５に示すように、本発明の床材１０は、その表面１０ａに縦溝１を、その裏面１０ｂに裏溝２を有しており、裏溝２は、床材１０の裏面１０ｂ側の縦溝１に対応する位置に、縦溝１に沿うように形成されている。本発明に係る床材１０は、カッターなどの切断手段により、縦溝１に切込みを入れることにより縦溝１に沿って床材を容易に分断することができるので、施工後に一部の床材を容易に抜き取ることが可能となる。抜き取り方法については、後段で詳しく説明する。
【００２２】
床材のサイズには制約がない。図１〜３では３０３ｍｍ×９０９ｍｍサイズ（いわゆる１×３尺サイズ）の床材の例を示しているが、３０３ｍｍ×１８１８ｍｍサイズ（いわゆる１×６尺サイズ）であってもよい。また、図１〜３では、２枚はぎの床材の例を示しているが、３枚はぎ、４枚はぎ、またはそれ以上のはぎ数の床材であってもよい。はぎ数が３枚以上の床材の場合、縦溝が２本以上有することになるが、裏溝は、いずれか一本の縦溝に沿うように形成されておれば足りる。裏溝は、幅方向中心に近い位置にある縦溝に沿うように形成されていることが好ましい。縦溝が複数ある場合には、その全部または一部の縦溝に沿って、複数の裏溝を形成してもよい。
【００２３】
縦溝には、Ｖ型、Ｕ型、凹型など様々な形状のものがある。縦溝の溝底とは、溝の最も深い部分をいい、Ｖ型およびＵ型の溝の場合、細線状であり、凹型の場合、太線状である。いずれの縦溝の場合でも、裏溝は、溝底の大部分（全体の８０％以上、好ましくは９０％以上、最も好ましいのは１００％）を含むように形成されておればよい。裏溝は、縦溝Ｖ型およびＵ型の溝の場合、縦溝の幅よりも狭くても良いが、縦溝が凹型の溝の場合、裏溝の幅は縦溝の幅よりも広く形成するのが好ましい。
【００２４】
床材の基材には、用途や客先仕様により、様々なものがある。例えば、図４に示す床材１１は、化粧単板などの表面層３と、ＭＤＦなどの木質繊維層４と、塩化ビニルなどの合成樹脂層５とを有する床材の例である。床材１１には、その表面に縦溝１が形成され、その裏面に縦溝１に沿うように裏溝２が形成されているのは前述の例と同様である。図４に示す例において、縦溝１は、概ね０．２ｍｍ程度の表面層３を貫通し、３ｍｍ程度の木質繊維層４の表層にまで及ぶように形成され、裏溝２は、合成樹脂層５の範囲内で形成されている。
図５に示す床材１２は、化粧単板などの表面層３と、ＨＤＦなどの木質繊維層６と、合板層５とを有する床材の例である。床材１２には、その表面に縦溝１が形成され、その裏面に縦溝１に沿うように裏溝２が形成されているのは前述の例と同様である。図５に示す例において、縦溝１は、概ね０．２ｍｍ程度の表面層３を貫通し、０．５ｍｍ程度の木質繊維層６にまで及ぶように形成され、裏溝２は、合板層７の範囲内で形成されている。
【００２５】
図４、図５のいずれの例においても、直貼り用フロアの場合には、裏面側にはウレタンなどからなるクッションシートが貼り付けられる。
【００２６】
ここで、縦溝１の幅、開口角などについては用途や客先仕様による。一方、裏溝２は、その形状に特に制約はないが、縦溝の底部と裏溝の底部との距離（図４または図５のＤ）は１〜５ｍｍとするのが好ましく、その幅（図４または図５のＷ）は１〜２５ｍｍとするのが好ましい。
【００２７】
縦溝の底部と裏溝の底部との距離が１ｍｍに満たない場合、縦溝の部分における機械的な強度が不十分となり、縦溝に強い負荷が掛かると、割れなどの不具合が生じかねない。一方、縦溝の底部と裏溝の底部との距離が５ｍｍを超えると、カッターなどの手工具で床材の分断をすることが困難となる。よって、縦溝の底部と裏溝の底部との距離は１〜５ｍｍとするのがよい。下限は２ｍｍとするのが好ましい。また、上限は４ｍｍ、より好ましくは３ｍｍとするのが好ましい。
【００２８】
裏溝の幅が１ｍｍに満たない場合、縦溝に切込みを入れる際に少しでもずれると床材の分断が困難となるおそれがある。また、裏溝の幅が２５ｍｍを超えると、縦溝の部分における機械的な強度が不十分となり、縦溝に強い負荷が掛かると、割れなどの不具合が生じかねない。よって、裏溝の幅は１〜２５ｍｍとするのがよい。上限は２０ｍｍとするのが好ましく、１５ｍｍとするのがより好ましく、１０ｍｍとするのが一層好ましい。さらに好ましいのは５ｍｍである。
【００２９】
本発明に係る一部床材の抜き取り方法においては、床材の施工後に、一部の床材を抜き取るに際して、まず、図６に示すように、カッターなどの切断手段２２を用いて、抜取対象床材２０の縦溝２１に沿って切込みを入れる。これにより抜取対象床材２０を縦溝２１に沿って分断させやすくする。次に、図７に示すように、運搬用吸盤２３を抜取対象床材２０の表面に吸着させ、その状態で運搬用吸盤２３を上方に移動させることによって、施工済みの他の床材を傷つけることなく、抜取対象床材２０のみを剥ぎ取ることが可能である。一部床材の抜き取り後には、下地材２４の上面にクッション材や接着剤などのフロア残留物２５が残っているため、スクレーパー（図示省略）などによってこれを取り除けば、新規の床材を貼り付けることが可能となる。
【産業上の利用可能性】
【００３０】
本発明に係る床材は、カッターなどの切断手段により、縦溝に沿って床材を容易に分断することができるので、施工後に一部の床材を容易に抜き取ることが可能となる。本発明に係る一部床材の抜き取り方法によれば、施工済みの他の床材を傷つけることなく、抜取対象床材を剥がすことが可能となる。よって、施工後に、一部の床材に欠陥が見つかった場合や、誤って傷をつけてしまった場合であっても、施工済みの床材のすべてを剥がすことなく修復が可能となるので、住宅のフローリングの補修時において特に有用である。
【符号の説明】
【００３１】
１      縦溝
２      裏溝
３      表面層
４      木質繊維層
５      合成樹脂層
６      木質繊維層
７      合板層
１０    本発明の床材
１０ａ  床材表面
１０ｂ  床材裏面
１１    本発明の床材
１２    本発明の床材（他の例）
２０      抜取対象床材
２１      縦溝
２２      切断手段（カッター）
２３      運搬用吸盤
２４      下地材
２５      フロア残留物
【図１】
2013181364.tif 000003
【図２】
2013181364.tif 000004
【図３】
2013181364.tif 000005
【図４】
2013181364.tif 000006
【図５】
2013181364.tif 000007
【図６】
2013181364.tif 000008
【図７】
2013181364.tif 000009